(57)【要約】【課題】建物の美観が損なわれるのを回避しつつ、蓄電装置を安定した状態で設置することができる建物における蓄電装置の設置構造を提供する。【解決手段】建物において基礎１９上に設けられた一階袖壁部の壁内空間３５には蓄電装置３０が設置されている。一階袖壁部を構成する袖壁フレーム２１の底部材２６は基礎１９上に載置されており、当該基礎１９に対してアンカーボルト２９を介して固定されている。蓄電装置３０は、底部材２６上に載置された状態で設けられている。蓄電装置３０の設置状態では蓄電装置３０の下面側に形成された凹部５１がアンカーボルト２９において基礎１１よりも上方に突出する突出部２９ａに入り込んでおり、その入り込み状態において蓄電装置３０の位置ずれが規制されている。【選択図】      図６
2014125734.tif 000002
【特許請求の範囲】
【請求項１】
建物において基礎上に設けられた壁部の内側には壁内空間が形成されており、その壁内空間には蓄電池を含んで構成される蓄電装置が設置されている建物における蓄電装置の設置構造であり、
前記蓄電装置は、前記壁内空間において前記基礎上に載置された状態で設置されており、
前記基礎の上面側及び前記蓄電装置の下面側のうちいずれか一方には凸部が設けられ、他方には凹部が設けられており、
前記凹部には前記凸部が入り込んでおり、その入り込み状態において前記蓄電装置の位置ずれが規制されていることを特徴とする建物における蓄電装置の設置構造。
【請求項２】
前記壁部は、壁フレームと、その壁フレームを挟んで両側に設けられる一対の壁面材とを備え、それら各壁面材の間に前記壁内空間が形成されており、
前記壁フレームは、その下端部に前記基礎上に載置された底部材を有しており、その底部材が前記基礎にアンカーボルトを介して固定されており、
前記蓄電装置は、前記底部材上に載置された状態で設置されており、
前記アンカーボルトは、前記基礎に埋設されており、その一部が前記基礎よりも上方に突出して前記凸部となっており、
その凸部が前記底部材を貫通し前記蓄電装置の下面側に形成された前記凹部に入り込んでいることを特徴とする請求項１に記載の建物における蓄電装置の設置構造。
【請求項３】
前記蓄電装置の凹部には、該凹部に前記アンカーボルトの前記凸部が入り込んだ状態で当該凸部と接触する接触部が設けられており、その接触部と当該凸部との接触によって前記蓄電装置が前記アンカーボルトを介して接地されていることを特徴とする請求項２に記載の建物における蓄電装置の設置構造。
【請求項４】
前記蓄電装置は、前記蓄電池と、該蓄電池が外部機器との間で電力の授受を行う際にその電力を変換する電力変換装置とを備え、
前記凹部は前記蓄電装置の下面側に設けられ、前記凸部は前記基礎の上面側に設けられており、
前記凹部には、前記蓄電池と前記電力変換装置との接続及び接続解除をすることが可能な接続装置が設けられており、
前記接続装置は、前記凹部に前記凸部が入り込むことに基づいて前記接続状態に切り替わる構成となっていることを特徴とする請求項１乃至３のいずれか一項に記載の建物における蓄電装置の設置構造。
【請求項５】
建物本体と、当該建物本体から側方に張り出して設けられた前記壁部としての袖壁部とを備え、前記袖壁部が前記基礎上に設けられている建物に適用され、
前記袖壁部の前記壁内空間には、前記蓄電装置が前記凹部及び前記凸部による位置ずれ規制状態で設置されていることを特徴とする請求項１乃至４のいずれか一項に記載の建物における蓄電装置の設置構造。
【請求項６】
前記袖壁部の壁内空間において前記蓄電装置の前記建物本体側には耐熱材が設けられていることを特徴とする請求項５に記載の建物における蓄電装置の設置構造。
【発明の詳細な説明】
【技術分野】
【０００１】
本発明は、建物における蓄電装置の設置構造に関する。
【背景技術】
【０００２】
近年、住宅等の建物においては、節電を図る等の目的で蓄電池が設置される場合がある。蓄電池は、例えば屋外において建物外壁の壁際等に設置される。
【０００３】
蓄電池を屋外に設置する場合、それによって建物周辺の見栄えが損なわれてしまうおそれがある。この点に鑑みて、特許文献１には、建物外壁に化粧材を外付けすることで化粧材と建物外壁との間に壁内空間部を形成し、その壁内空間部に蓄電池を設置した構成が開示されている。これによれば、蓄電池を屋外に露出させることなく設置することができるため、建物の美観が損なわれるのを防止することができる。なお、特許文献１の構成では、上記外付け化粧材に、蓄電池を載置するための載置台が設けられ、その載置台上に蓄電池が載置された状態で設けられている。
【先行技術文献】
【特許文献】
【０００４】
【特許文献１】特開２０１２−６２７３６号公報
【発明の概要】
【発明が解決しようとする課題】
【０００５】
しかしながら、上記特許文献１のものは、建物外壁に外付けされた化粧材により蓄電池の荷重を支える構成であるため、蓄電池の設置安定性の面で懸念がある。特に、蓄電池の蓄電容量を大きく確保するために蓄電池が複数個設置される場合には、蓄電池の（総）重量が著しく大きくなって化粧材による支持が困難となることが想定される。
【０００６】
本発明は、上記事情に鑑みてなされたものであり、建物の美観が損なわれるのを回避しつつ、蓄電装置を安定した状態で設置することができる建物における蓄電装置の設置構造を提供することを主たる目的とするものである。
【課題を解決するための手段】
【０００７】
上記課題を解決すべく、第１の発明の建物における蓄電装置の設置構造は、建物において基礎上に設けられた壁部の内側には壁内空間が形成されており、その壁内空間には蓄電池を含んで構成される蓄電装置が設置されている建物における蓄電装置の設置構造であり、前記蓄電装置は、前記壁内空間において前記基礎上に載置された状態で設置されており、前記基礎の上面側及び前記蓄電装置の下面側のうちいずれか一方には凸部が設けられ、他方には凹部が設けられており、前記凹部には前記凸部が入り込んでおり、その入り込み状態において前記蓄電装置の位置ずれが規制されていることを特徴とする。
【０００８】
本発明によれば、基礎上に設けられた壁部の壁内空間に蓄電装置が設置されているため、蓄電装置の屋外への露出を防止することができる。これにより、建物の美観が損なわれるのを回避することができる。
【０００９】
また、蓄電装置は壁内空間において基礎上に載置された状態で設置されているため、蓄電装置の荷重を基礎上で支えることができる。しかも、蓄電装置の設置状態では、基礎の上面側及び蓄電装置の下面側のうちいずれか一方に設けられた凸部が、他方に設けられた凹部に入り込んだ状態にあり、それによって蓄電装置の位置ずれが規制されている。よって、この場合、建物の美観が損なわれるのを回避しながら、蓄電装置を安定した状態で設置することができる。
【００１０】
第２の発明の建物における蓄電装置の設置構造は、第１の発明において、前記壁部は、壁フレームと、その壁フレームを挟んで両側に設けられる一対の壁面材とを備え、それら各壁面材の間に前記壁内空間が形成されており、前記壁フレームは、その下端部に前記基礎上に載置された底部材を有しており、その底部材が前記基礎にアンカーボルトを介して固定されており、前記蓄電装置は、前記底部材上に載置された状態で設置されており、前記アンカーボルトは、前記基礎に埋設されており、その一部が前記基礎よりも上方に突出して前記凸部となっており、その凸部が前記底部材を貫通し前記蓄電装置の下面側に形成された前記凹部に入り込んでいることを特徴とする。
【００１１】
本発明によれば、壁フレームの底部材が基礎上に載置された状態で基礎に対してアンカーボルトを介して固定されており、その底部材上に蓄電装置が載置された状態で設置されている。そして、かかる蓄電装置の設置状態において、蓄電装置の下面側の凹部にアンカーボルトの凸部が入り込み、蓄電装置の位置ずれが規制されている。この場合、既存のアンカーボルトを用いて蓄電装置の位置ずれを規制することができるため、凸部をアンカーボルトとは別で設ける場合と比べて構成の簡素化が図れる。
【００１２】
第３の発明の建物における蓄電装置の設置構造は、第２の発明において、前記蓄電装置の凹部には、該凹部に前記アンカーボルトの前記凸部が入り込んだ状態で当該凸部と接触する接触部が設けられており、その接触部と当該凸部との接触によって前記蓄電装置が前記アンカーボルトを介して接地されていることを特徴とする。
【００１３】
本発明によれば、蓄電装置の凹部にアンカーボルトの凸部が入り込んだ状態において、凹部に設けられた接触部と凸部とが互いに接触しており、その接触によって蓄電装置がアンカーボルトを介して接地されている。この場合、蓄電装置に対して別途アースを取り付ける必要がなく、しかも蓄電装置を基礎（底部材）上に設置する際その凹部にアンカーボルトの凸部を入り込ませるだけで蓄電装置を接地することができるため、蓄電装置を接地する上で省施工化が図れる。
【００１４】
第４の発明の建物における蓄電装置の設置構造は、第１乃至第３のいずれかの発明において、前記蓄電装置は、前記蓄電池と、該蓄電池が外部機器との間で電力の授受を行う際にその電力を変換する電力変換装置とを備え、前記凹部は前記蓄電装置の下面側に設けられ、前記凸部は前記基礎の上面側に設けられており、前記凹部には、前記蓄電池と前記電力変換装置との接続及び接続解除をすることが可能な接続装置が設けられており、前記接続装置は、前記凹部に前記凸部が入り込むことに基づいて前記接続状態に切り替わる構成となっていることを特徴とする。
【００１５】
本発明によれば、蓄電池と電力変換装置とを有する蓄電装置を基礎上に設置する際、その蓄電装置の下面側に設けられた凹部に基礎の上面側に設けられた凸部を入り込ませることで、蓄電池と電力変換装置とを接続することができる。つまり、この場合、蓄電装置の設置と同時に蓄電池と電力変換装置とを接続することができるため、蓄電装置の設置後、蓄電池と電力変換装置とを接続する作業を行わなくて済む。そのため、蓄電装置の設置に際し作業工数の削減を図ることができる。
【００１６】
また、蓄電装置が基礎上に設置されてはじめて蓄電池と電力変換装置とが接続されるため、蓄電装置の設置作業の際に蓄電池からの漏電によって感電するといった不都合が生じるのを抑制することもできる。
【００１７】
第５の発明の建物における蓄電装置の設置構造は、第１乃至第４のいずれかの発明において、建物本体と、当該建物本体から側方に張り出して設けられた前記壁部としての袖壁部とを備え、前記袖壁部が前記基礎上に設けられている建物に適用され、前記袖壁部の前記壁内空間には、前記蓄電装置が前記凹部及び前記凸部による位置ずれ規制状態で設置されていることを特徴とする。
【００１８】
袖壁部は建物本体の外周部に設けられる外壁部等とは異なり、断熱性能がそれ程要求されない。そのため、袖壁部の壁内には断熱材が設けられていないことが多く、その場合壁内空間が空きスペースとなっていることが考えられる。そこで本発明では、この点に着目し、袖壁部の壁内空間に蓄電装置を設置し、その設置に際し第１の発明の設置構造を適用している。この場合、袖壁部の壁内空間の有効利用を図りながら、第１の発明の効果を得ることができる。
【００１９】
第６の発明の建物における蓄電装置の設置構造は、第５の発明において、前記袖壁部の壁内空間において前記蓄電装置の前記建物本体側には耐熱材が設けられていることを特徴とする。
【００２０】
本発明によれば、蓄電装置と建物本体との間に耐熱材が介在されているため、蓄電装置から発生する熱が建物本体側へ伝わるのを防止することができる。
【図面の簡単な説明】
【００２１】
【図１】建物の概略を示す斜視図。
【図２】一階袖壁部の主要な構成を分解して示す分解斜視図。
【図３】一階袖壁部の下部の構成を示す縦断面図。
【図４】一階袖壁部の壁内に蓄電装置が設置された状態を示す斜視図。
【図５】一階袖壁部の壁内に蓄電装置が設置された状態を示す横断面図。
【図６】一階袖壁部の壁内に蓄電装置が設置された状態を示す縦断面図。
【図７】蓄電システムの電気的構成を示す図。
【図８】蓄電装置が仮固定された袖壁フレームを基礎上に設置する様子を示す縦断面図。
【発明を実施するための形態】
【００２２】
以下に、本発明を具体化した一実施の形態について図面を参照しつつ説明する。本実施形態では、鉄骨ラーメン構造によるユニット式建物に本発明を具体化しており、そのユニット式建物は、周知のとおり複数の建物ユニットを結合させて構築されるものとなっている。これらの建物ユニットは、それぞれユニット製造工場にてあらかじめ製造され、その後、建築現場にトラック等により搬送される。そして、建築現場においてそれらの建物ユニットが基礎上において互いに結合され建物が構築されるものとなっている。なお、図１は建物の概略を示す斜視図である。
【００２３】
図１に示すように、建物１０は、基礎１１上に設けられた建物本体１２と、建物本体１２の上方に設けられた屋根部１３とを備える。建物本体１２は、一階部分と二階部分とを有する二階建てであり、複数の建物ユニット２０が互いに連結されることにより構成されている。屋根部１３は、陸屋根（フラットルーフ）として構成され、その一部が建物本体１２の一側面よりも側方に張り出して張出屋根部１３ａとなっている。
【００２４】
なお、建物ユニット２０は周知であるがその構成を簡単に説明すると、建物ユニット２０は、その四隅に配設される４本の柱と、各柱の上端部及び下端部をそれぞれ連結する各４本の天井大梁及び床大梁とを備え、それら柱、天井大梁及び床大梁により直方体状の骨格（フレーム）が形成されている。そして、その骨格に壁パネル、天井材、床材等が取り付けられている。
【００２５】
建物本体１２の一側面（例えば正面）には、建物本体１２から側方に張り出すようにして袖壁部１５が設けられている。袖壁部１５は、建物本体１２の一側面における幅方向の一端部から張出屋根部１３ａと同じ側に張り出して設けられている。この場合、建物１０の正面視において張出屋根部１３ａと袖壁部１５とがＬ字状をなして配置されている。
【００２６】
袖壁部１５は、一階部分に対応して設けられた一階袖壁部１６と、二階部分に対応して設けられた二階袖壁部１７とを備える。一階袖壁部１６は一階部分の建物ユニット２０（例えば柱）に固定され、二階袖壁部１７は二階部分の建物ユニット２０（例えば柱）に固定されている。
【００２７】
一階袖壁部１６の下方には、当該袖壁部１６に沿って基礎１９が設けられている。基礎１９は、建物本体１２の外周に沿って配設された基礎１１（外周基礎）から側方に張り出して設けられており、この基礎１９（張出基礎）上に一階袖壁部１６が載置された状態で設けられている。
【００２８】
次に、一階袖壁部１６及びその周辺の構成を図２及び図３に基づいて説明する。なお、図２は、一階袖壁部１６の主要な構成を分解して示す分解斜視図であり、図３は一階袖壁部１６の下部の構成を示す縦断面図である。
【００２９】
図２に示すように、一階袖壁部１６は、当該袖壁部１６の下地を構成する袖壁フレーム２１と、その袖壁フレーム２１の外側に固定される複数の外壁面材２２（２２ａ，２２ｂ，２２ｃ）とを有している。そして、袖壁フレーム２１が建物ユニット２０（例えば柱）に対して固定されることで、一階袖壁部１６が建物本体１２に取り付けられている。
【００３０】
袖壁フレーム２１は、上下方向に延びる一対の縦材２４と、その一対の縦材２４に架け渡して設けられる複数の横材２５とを有しており、縦材２４の下端部には底部材２６が固定され、上端部には天板部材２７が固定されている。これにより、袖壁フレーム２１は全体として縦長の略直方体状をなしている。
【００３１】
縦材２４は、断面コ字状の溝形鋼よりなり、互いの溝部を向き合わせて配置されている。縦材２４のウェブ部の幅（フレーム幅）により一階袖壁部１６の壁厚み幅が規定されており、両縦材２４のフランジ部に、山形鋼（Ｌ形鋼）又は溝形鋼よりなる複数の横材２５が連結されている。また、底部材２６と天板部材２７とはいずれも断面コ字状の溝形鋼よりなり、互いの溝部を向き合わせて配置されている。
【００３２】
袖壁フレーム２１には、その四方の側面のうち建物本体１２（建物ユニット２０）側の側面以外の３面に、外壁面材２２がそれぞれ取り付けられている（図５も参照）。すなわち、外壁面材２２は、一階袖壁部１６において内側（すなわち建物本体１２と袖壁部１５との入隅部側）に取り付けられる内側面材２１ａと、外側（すなわち入隅部とは反対側）に取り付けられる外側面材２１ｂと、一階袖壁部１６の壁先端部に取り付けられる先端面材２１ｃとを備える。このうち先端面材２１ｃは、短手方向の両端部に折れ曲がり部を有しており、断面コ字状をなしている。また、各外壁面材２２ａ〜２２ｃは、いずれも窯業系サイディングよりなる。
【００３３】
図３に示すように、袖壁フレーム２１（詳しくは底部材２６）は、基礎１９上に載置された状態で設けられており、その載置状態において底部材２６がアンカーボルト２９を介して基礎１９に固定されている。アンカーボルト２９は基礎１９に埋設されており、その一部が基礎１９天端よりも上方に突出し突出部２９ａとなっている。なおここで、突出部２９ａが凸部に相当する。突出部２９ａは、底部材２６のウェブ部２６ａに形成された挿通孔部３７に挿通されており、その挿通状態でナット３８と締結されている。これにより、底部材２６が基礎１９に固定され、ひいては袖壁フレーム２１が基礎１９に固定されている。
【００３４】
各外壁面材２２ａ，２２ｃの下方にはそれぞれ長尺状の水切部材３９が設けられている。水切部材３９は、袖壁フレーム２１の各縦材２４の屋外側面に跨がって設けられ、各縦材２４に対してそれぞれビス等で固定されている。
【００３５】
なお、図示が省略するが、二階袖壁部１７も一階袖壁部１６と同様に、袖壁フレームと、その袖壁フレームの外側に固定された複数の外壁面材とを備える。そして、二階袖壁部１７の袖壁フレームは、一階袖壁部１６の袖壁フレーム２１上に配設され、ブラケット（図示略）等を介して同フレーム２１に連結されている。
【００３６】
ところで、本実施形態では、一階袖壁部１６の壁内に蓄電装置３０が設置されている。以下、一階袖壁部１６における蓄電装置３０の設置構造について図４乃至図６に基づいて説明する。図４は、一階袖壁部１６の壁内に蓄電装置３０が設置された状態を示す斜視図であり、図５は同状態を示す横断面図であり、図６は同状態を示す縦断面図である。なお、図５は図４のＡ−Ａ線断面図に相当し、図６は図４のＢ−Ｂ線断面図に相当する。また、図４では便宜上、外壁面材２２の図示を省略している。
【００３７】
図４乃至図６に示すように、一階袖壁部１６において各外壁面材２２ａ〜２２ｃにより囲まれた内側空間は壁内空間３５となっており、その壁内空間３５には蓄電装置３０が設置されている。蓄電装置３０は、蓄電池３１と、補機（パワーコンディショナー）３２とを備える。蓄電池３１は、例えばリチウムイオン蓄電池からなる。但し、蓄電池３１として、鉛蓄電池、ニッケル水素蓄電池等他の蓄電池を用いてもよい。補機３２は、蓄電池３１が外部機器との間で電力の授受を行う際にその電力を変換するためのものである。なお、補機３２が電力変換装置に相当する。
【００３８】
ここで、壁内空間３５における蓄電装置３０の設置構造について説明する前に、蓄電装置３０を含んで構成される蓄電システムについて説明する。図７は、蓄電システムの電気的構成を示す図である。
【００３９】
図７に示すように、建物１０には、分電盤４１が設けられている。分電盤４１には、商用電力であるＡＣ１００Ｖの交流電力が送電線４３を介して供給される。また、建物１０には、ソーラパネル４２が設けられている。ソーラパネル４２は、太陽光が照射されることにより太陽光発電を行うものであり、例えば建物１０の屋根部１３上に設置されている。
【００４０】
分電盤４１は蓄電装置３０の補機３２に配線６４を介して接続され、ソーラパネル４２は補機３２に配線６５を介して接続されている。補機３２は電力を変換するための電力変換部４５を有しており、その電力変換部４５は、直流電圧を交流電圧に変換するＤＣ−ＡＣコンバータと、交流電圧を直流電圧に変換するＡＣ−ＤＣコンバータと、直流電圧の電圧レベルを変換するＤＣ−ＤＣコンバータとを有している。
【００４１】
補機３２には分電盤４１から交流電力（商用電力）が供給され、その供給された交流電力が電力変換部４５で直流電圧に変換されて、その後蓄電池３１に供給される。また、補機３２にはソーラパネル４２から直流電力が供給され、その供給された直流電力が電力変換部４５で適正な電圧レベルに変換されて、その後蓄電池３１に供給される。このようにして、商用電力及びソーラパネル４２の発電電力が蓄電池３１に蓄えられるようになっている。
【００４２】
補機３２には、当該補機３２（より具体的には電力変換部４５）と蓄電池３１とを電気的に接続する接続状態と、その接続を解除する接続解除状態とに切替可能な接続スイッチ４６が設けられている。ここで、接続スイッチ４６が接続装置に相当する。接続スイッチ４６は、ボタン式のスイッチよりなり、動作可能なボタン部４６ａ（図６参照）を有している。接続スイッチ４６は、そのボタン部４６ａの動作に基づいて接続状態と接続解除状態との切替を行うものであり、その詳細については後述することとする。蓄電装置３０の設置状態においては、接続スイッチ４６が接続状態とされ、蓄電池３１と補機３２とが電気的に接続された状態となっている。
【００４３】
補機３２には、配線６８を介して建物１０内の電気負荷４８（例えば家電装置、照明器具等）が接続されており、配線６９を介して車両用充電装置４９が接続されている。蓄電池３１に蓄えられた電力は、補機３２を経由して電気負荷４８及び車両用充電装置４９に供給される。蓄電池３１の蓄電電力が電気負荷４８に供給される際には、蓄電電力が補機３２の電力変換部４５で交流電力に変換されて、その後電気負荷４８に供給される。また蓄電池３１の蓄電電力が車両用充電装置４９に供給される際には、蓄電電力が電力変換部４５で適正な電圧レベルに変換されて、その後車両用充電装置４９に供給される。
【００４４】
続いて、壁内空間３５における蓄電装置３０の設置構造について説明する。
【００４５】
図４乃至図６に示すように、蓄電装置３０は袖壁フレーム２１の枠内に組み込まれている。蓄電装置３０の蓄電池３１及び補機３２はいずれも略直方体状をなしており、その平面視における形状及び大きさが略同じとなっている。蓄電池３１と補機３２とは、袖壁フレーム２１の枠内において蓄電池３１を上側、補機３２を下側として上下に積み重ねられた状態で設けられており、互いの側面に跨る平板状の連結プレート５２を介して連結されている。
【００４６】
補機３２は、袖壁フレーム２１の底部材２６（詳しくはウェブ部２６ａ）上に載置された状態で配置されている。補機３２の底面には、各アンカーボルト２９にそれぞれ対応して一対の凹部５１が設けられている。各凹部５１は下向きに開口しており、ナット３８を収容する円柱状の部分５１ａと、突出部２９ａを収容する円柱状の部分５１ｂとを有している。円柱状の部分５１ａは、その内径がナット３８の外径（より詳しくは最大外径）よりも若干大きくなっており、円柱状の部分５１ｂは、その内径が突出部２９ａの外径よりも若干大きくなっている。そして、これら各凹部５１（５１ａ，５１ｂ）にはそれぞれアンカーボルト２９の突出部２９ａとナット３８とが入り込んだ状態で設けられている。これにより、補機３２の設置状態において、補機３２ひいては蓄電装置３０が位置ずれすることが規制されている。
【００４７】
補機３２は、袖壁フレーム２１の各縦材２４にそれぞれ固定部材５３を介して固定されている。固定部材５３は、断面コ字状をなす鋼板よりなり、縦材２４と補機３２との間で溝部を上方に向けて配設されている。この場合、固定部材５３の各フランジ部５３ａ，５３ｂのうち一方のフランジ部５３ａは補機３２の側面にボルト５４で固定され、他方のフランジ部５３ｂは縦材２４のウェブ部２４ａの内側面にボルト５５で固定されている。
【００４８】
具体的には、ボルト５５は、縦材２４のウェブ部２４ａに形成された挿通孔部５７に袖壁フレーム２１外側から挿通されてフランジ部５３ｂの孔部５９にねじ込まれている。また、挿通孔部５７は上下方向に延びる長孔となっており、その挿通孔部５７の下端部付近にボルト５５が挿通されている。また、各ボルト５５のうち外壁面材２２ｃの裏側に配されたボルト５５は、同外壁面材２２ｃの裏面に形成された凹部５８に収容され、外壁面材２２ｃとの干渉が回避されている。
【００４９】
補機３２の各凹部５１のうち一方の凹部５１Ａ（図６において右側の凹部５１）には、接続スイッチ４６が設けられている。接続スイッチ４６は、上述したようにボタン部４６ａを有しており、そのボタン部４６ａは略円柱状をなしている。補機３２には、凹部５１Ａの底面（上面）から上方に延びるボタン収容部６３が形成されており、そのボタン収容部６３内にボタン部４６ａが上下移動可能（換言すると突出部２９ａの突出方向）な状態で収容されている。
【００５０】
ボタン部４６ａは、蓄電池３１と補機３２とが接続される接続位置（図６参照）と、当該接続位置よりも下方であって蓄電池３１と補機３２との接続が解除される接続解除位置（図８参照）との間で上下移動可能とされている。具体的には、ボタン部４６ａは、凹部５１Ａ周辺に設けられたつるまきバネ等の付勢部材により下方に向けて常時付勢された状態にあり、換言すると接続解除位置に向けて常時付勢された状態にある。
【００５１】
凹部５１Ａにアンカーボルト２９の突出部２９ａが入り込んだ状態では、ボタン部４６ａが突出部２９ａにより付勢部材の付勢力に抗して接続位置まで押し上げられている。このため、蓄電装置３０の設置状態では、蓄電池３１と補機３２とが電気的に接続された状態とされている。
【００５２】
他方の凹部５１Ｂ（図６において左側の凹部５１）には、当該凹部５１Ｂに入り込んだアンカーボルト２９の突出部２９ａと接触する接触部４７が設けられている。接触部４７は、金属材料（導電材料）により円板状に形成されており、その接触部４７に対して突出部２９ａの先端部が接触している。これにより、補機３２ひいては蓄電装置３０がアンカーボルト２９を介して接地されている。
【００５３】
なお、接触部４７を、上述のボタン部４６ａと同様に、凹部５１Ｂにおいて上下移動可能に設けるとともに、当該接触部４７を下方に向けて付勢する付勢部材を設けてもよい。そうすれば、凹部５１Ｂに突出部２９ａを入り込ませた状態において、接触部４７を付勢部材の付勢力により突出部２９ａに押し当てることができるため、接触部４７をより確実に突出部２９ａと接触させることができる。
【００５４】
壁内空間３５において蓄電装置３０の建物本体１２側には耐熱材６１が設けられている。耐熱材６１は、例えばグラスウールやロックウール等の耐熱性能（断熱性能）に優れた材料により形成されている。耐熱材６１は、上下方向に延びる長尺状をなしており、袖壁フレーム２１における建物本体１２側の縦材２４の溝内に配設されている。
【００５５】
袖壁フレーム２１の底部材２６の各フランジ部２６ｂにはそれぞれ通気孔６２が形成されている。通気孔６２は、底部材２６の長手方向に沿って所定の間隔で複数配置されている。各通気孔６２はそれぞれ横方向に長い長孔となっており、壁内空間３５を水切部材３９の裏側空間と連通している。これにより、蓄電装置３０で発生した熱は通気孔６２を通じて水切部材３９の裏側空間に排出され、ひいては水切部材３９と基礎１９との隙間を通じて屋外に排出される。
【００５６】
続いて、一階袖壁部１６の壁内空間３５に蓄電装置３０を設置する際の作業手順について説明する。
【００５７】
まず、製造工場において、袖壁フレーム２１の枠内に蓄電装置３０を組み込んで同装置３０を袖壁フレーム２１に仮固定する作業を行う。図８には、蓄電装置３０を袖壁フレーム２１に仮固定した状態を示す。同図８に示すように、仮固定に際しては、まず蓄電装置３０の補機３２を底部材２６（詳しくはウェブ部２６ａ）から上方に離間させた位置（以下、仮固定位置という）で固定部材５３を介して各縦材２４に固定する。この際、縦材２４の挿通孔部５７の上端部付近にボルト５５を挿通し、同ボルト５５により固定部材５３を縦材２４に固定する。
【００５８】
次に、補機３２の上方に蓄電池３１を載せて、蓄電池３１と補機３２とを連結プレート５２により連結する。これにより、袖壁フレーム２１の枠内に蓄電池３１と補機３２とが仮固定状態で組み込まれる。そして、袖壁フレーム２１は、かかる蓄電装置３０の組み込み状態で施工現場へ搬送される。
【００５９】
施工現場では、まず各建物ユニット２０を所定位置に設置するとともに、それら各建物ユニット２０を互いに連結する作業を行う。これにより、建物本体１２が構築される。続いて、袖壁フレーム２１を基礎１９上に載置して底部材２６を基礎１９に対してアンカーボルト２９により固定する。この際、基礎１９に予め埋設された各アンカーボルト２９の突出部２９ａを底部材２６の各挿通孔部３７を挿通させて底部材２６を基礎１９上に載置し、その載置状態で突出部２９ａにナット３８を締結する。
【００６０】
ここで、上述したように、補機３２は袖壁フレーム２１の枠内において底部材２６から上方に離間させた位置（仮固定位置）で仮固定されているため、袖壁フレーム２１を基礎１９上に載置した状態において、補機３２がアンカーボルト２９の突出部２９ａよりも上方に位置している。これにより、突出部２９ａにナット３８を締結して底部材２６を基礎１９上に固定する作業を比較的容易に行うことが可能となっている。
【００６１】
次に、蓄電装置３０を底部材２６上に載置して、蓄電装置３０（補機３２）の凹部５１にアンカーボルト２９の突出部２９ａを入り込ませる作業を行う。この作業では、固定部材５３を固定しているボルト５５を緩めて、蓄電装置３０を下方に移動させ底部材２６上に載置する。具体的には、ボルト５５を挿通孔部５７に挿通させたまま蓄電装置３０を下方に移動させる。この場合、ボルト５５を挿通孔部５７に沿わせながら蓄電装置３０を下方に移動させることとなるため、蓄電装置３０が所定方向（挿通孔部５７の長手方向）に案内されながら下方に移動される。そして、本実施形態では、蓄電装置３０が、その凹部５１に突出部２９ａが入り込む位置（本固定位置）へと案内されるように挿通孔部５７が形成されており、そのため蓄電装置３０を上記案内にしたがって底部材２６上まで移動させると、蓄電装置３０の凹部５１に突出部２９ａが自ずと入り込むようになっている。
【００６２】
蓄電装置３０（補機３２）が底部材２６上に載置され、補機３２の各凹部５１Ａ，５１Ｂにそれぞれ各アンカーボルト２９の突出部２９ａが入り込むと、凹部５１Ａ側では接続スイッチ４６が接続状態となり、蓄電池３１と補機３２とが電気的に接続される。一方、凹部５１Ｂ側では突出部２９ａが接触部４７に接触して、蓄電装置３０がアンカーボルト２９を介して接地される。
【００６３】
次に、補機３２を固定部材５３を介して各縦材２４に固定する。これにより、蓄電装置３０が基礎１９上において設置固定される。その後、袖壁フレーム２１に対して各外壁面材２２ａ〜２２ｃを取り付けて一階袖壁部１６を構築する。
【００６４】
以上、詳述した本実施形態の構成によれば、以下の優れた効果が得られる。
【００６５】
基礎１９上に設けられた一階袖壁部１６の壁内空間３５に蓄電装置３０を設置したため、蓄電装置３０の屋外への露出を防止することができる。これにより、建物１０の美観が損なわれるのを回避することができる。
【００６６】
また、蓄電装置３０を基礎１９上に載置した状態で設けたため、蓄電装置３０の荷重を基礎１９上で支えることができる。しかも、蓄電装置３０の設置状態において、蓄電装置３０の下面側に設けた凹部５１に基礎１９の上面側に設けたアンカーボルト２９の突出部２９ａを入り込ませたため、蓄電装置３０の位置ずれを規制することができる。よって、この場合、蓄電装置３０を安定した状態で設置することができる。
【００６７】
袖壁フレーム２１の下端部に設けられた底部材２６を基礎１９上に載置して当該基礎１９にアンカーボルト２９を介して固定し、その底部材２６上に蓄電装置３０を載置した状態で設置した。そして、かかる蓄電装置３０の設置状態において、蓄電装置３０（補機３２）の凹部５１をアンカーボルト２９の突出部２９ａに入り込ませ、蓄電装置３０の位置ずれを規制するようにした。この場合、既存のアンカーボルト２９を用いて蓄電装置３０の位置ずれを規制することができるため、凸部をアンカーボルト２９（突出部２９ａ）とは別で設ける場合と比べて構成の簡素化を図ることができる。
【００６８】
また、アンカーボルト２９とは別で凸部を設ける場合には、底部材２６に、アンカーボルト２９用の挿通孔部３７とは別で、上記凸部を挿通させるための挿通孔部を設ける必要があるが、アンカーボルト２９の突出部２９ａを凸部として利用する上記構成とすれば、かかる挿通孔部が不要となり、構成の簡素化が図れる。
【００６９】
蓄電装置３０の凹部５１にアンカーボルト２９の突出部２９ａが入り込んだ状態で、該凹部５１に設けられた接触部４７を突出部２９ａと接触させ、その接触により蓄電装置３０をアンカーボルト２９を介して接地するようにした。この場合、蓄電装置３０に対して別途アースを取り付ける必要がなく、しかも蓄電装置３０を基礎１９（底部材２６）上に設置する際、その凹部５１に突出部２９ａを入り込ませるだけで蓄電装置３０を接地することができるため、蓄電装置３０を接地する上で省施工化が図れる。
【００７０】
補機３２（ひいては蓄電装置３０）の下面側に形成された凹部５１に、蓄電池３１と補機３２との接続及び接続解除が可能な接続スイッチ４６を設け、その接続スイッチ４６を、凹部５１にアンカーボルト２９の突出部２９ａが入り込むことに基づき接続状態に切り替わるようにした。この場合、蓄電装置３０の設置と同時に蓄電池３１と補機３２とを接続することができるため、蓄電装置３０の設置後、蓄電池３１と補機３２とを接続する作業を行わなくて済む。そのため、蓄電装置３０の設置に際し作業工数の削減を図ることができる。また、蓄電装置３０が基礎１９上に設置されてはじめて蓄電池３１と補機３２とが接続されるため、蓄電装置３０の設置作業の際に蓄電池３１からの漏電によって感電するといった不都合が生じるのを抑制することができる。
【００７１】
袖壁部１６は建物本体１２の外周部に設けられる外壁部とは異なり、断熱性能がそれ程要求されないため、袖壁部１６の壁内には断熱材が設けられていないことが多く、その場合壁内が空きスペースとなっていることが考えられる。この点、一階袖壁部１６の壁内空間３５に蓄電装置３０を設置するようにしたため、袖壁部１６の壁内空間３５の有効利用を図りつつ、上述した種々の効果を得ることができる。
【００７２】
一階袖壁部１６の壁内空間３５において蓄電装置３０の建物本体１２側に耐熱材６１を設けたため、蓄電装置３０から発生する熱が建物本体１２側へ伝わるのを防止することができる。
【００７３】
製造工場において袖壁フレーム２１に蓄電装置３０を固定部材５３を介して仮固定し、その仮固定状態で施工現場に搬送するようにした。これにより、効率のよい搬送が可能となる。また、袖壁フレーム２１の基礎１９上への設置と同時に蓄電装置３０を基礎１９上に配置することができるため、蓄電装置３０を基礎１９上に載置して設置する作業を比較的楽に行うことができる。
【００７４】
また、蓄電装置３０を袖壁フレーム２１に対して底部材２６（ウェブ部２６ａ）から上方に離間させた位置（仮固定位置）で仮固定するようにした。そのため、施工現場において袖壁フレーム２１を基礎１９上に載置した後、底部材２６をアンカーボルト２９を介して基礎１９に固定する際、蓄電装置３０をわざわざ持ち上げなくても固定作業を行うことができる。
【００７５】
また、蓄電装置３０を袖壁フレーム２１における仮固定位置から本固定位置まで案内するための案内手段（挿通孔部５７，ボルト５５）を設け、その案内手段により蓄電装置３０を本固定位置まで案内し凹部５１にアンカーボルト２９の突出部２９ａを入り込ませるようにした。これにより、蓄電装置３０を基礎１９上に設置する際、凹部５１に突出部２９ａを容易に入り込ませることができるため、蓄電装置３０の設置作業をより簡単なものとすることができる。
【００７６】
本発明は上記実施形態に限らず、例えば次のように実施されてもよい。
【００７７】
（１）上記実施形態では、補機３２の凹部５１にアンカーボルト２９の突出部２９ａ（凸部）を入り込ませるようにしたが、凹部５１に入り込ませる凸部をアンカーボルト２９とは別で設けてもよい。例えば、基礎１１の上面（天端）に突起部を設け、その突起部を凹部５１に入り込ませることが考えられる。また、上記実施形態では、凹部５１と突出部２９ａ（凸部）とを２つずつ設けたが、凹部及び凸部の個数は必ずしも２つに限ることはなく、３つ以上設けてもよいし、１つだけ設けるようにしてもよい。
【００７８】
（２）上記実施形態では、補機３２（ひいては蓄電装置３０）の下面側に凹部５１を設け、基礎１１の上面側に凸部（突出部２９ａ）を設けたが、これを逆にして、補機３２の下面側に凸部を設け、基礎１１の上面側に凹部を設けてもよい。この場合にも、基礎１１側の凹部に補機３２側の凸部を入り込ませることで、蓄電装置３０の位置ずれを規制することができる。
【００７９】
（３）上記実施形態では、袖壁フレーム２１の枠内（換言すると壁内空間３５）において、補機３２を下側、蓄電池３１を上側に配置したが、これを逆にして、蓄電池３１を下側、補機３２を上側に配置してもよい。この場合、蓄電池３１の下面側に凹部を形成し、該凹部にアンカーボルト２９の突出部２９ａを入り込ませればよい。
【００８０】
また、蓄電池３１と補機３２とは必ずしも上下に並べて配置する必要はなく、左右又は前後に並べて配置してもよい。
【００８１】
（４）蓄電池３１の蓄電容量を増やすために、壁内空間３５に蓄電池３１を増設してもよい。その場合にも、基礎１９上で蓄電池３１（蓄電装置３０）の荷重を支えることができるため、蓄電装置３０を安定した状態で設置することができる。なお、蓄電池３１の増設にあたっては、増設する蓄電池３１を既設の蓄電池３１の上に積み上げて設置すればよい。
【００８２】
（５）上記実施形態では、本発明の蓄電装置の設置構造を袖壁部１６に適用したが、建物本体１２の外周部に設けられ屋内外を仕切る外壁部に本発明を適用してもよい。この場合、外壁部は、基礎１１上に設けられ、外壁フレームと、同フレームを挟んだ両側に設けられた内壁面材及び外壁面材とを備える。そして、内壁面材と外壁面材との間の壁内空間において、蓄電装置３０を基礎１９上に載置した状態で設置すればよい。
【００８３】
また、建物本体１２の屋内側に設けられ屋内空間を複数に仕切る間仕切壁部に対しても、その間仕切壁が基礎上に設置されたものであれば本発明を適用することが可能である。
【００８４】
（６）上記実施形態では、ユニット式建物への適用例を説明したが、鉄骨軸組工法により構築される建物や、在来木造工法により構築される建物等、他の構造の建物に適用してもよい。
【符号の説明】
【００８５】
１０…建物、１１…基礎、１２…建物本体、１６…壁部としての一階袖壁部、１９…基礎、２１…袖壁フレーム、２６…底部材、２９…アンカーボルト、２９ａ…凸部としての突出部、３０…蓄電装置、３１…蓄電池、３２…電力変換装置としての補機、３５…壁内空間、４６…接続装置としての接続スイッチ、４７…接触部、５１…凹部、６１…耐熱材。
【図１】
2014125734.tif 000003
【図２】
2014125734.tif 000004
【図３】
2014125734.tif 000005
【図４】
2014125734.tif 000006
【図５】
2014125734.tif 000007
【図６】
2014125734.tif 000008
【図７】
2014125734.tif 000009
【図８】
2014125734.tif 000010